(57)【要約】【課題】活性度に応じて集会の参加者を表現して参加者どうしの相互理解を深める。【解決手段】取得部１１１は、集計装置４から集会に参加する参加者を撮像した映像を示す映像データと、参加者の生体情報とを取得する。解析部１１２は、取得した生体情報から参加者の活性度を特定するための解析を行う。特定部１１３は、上述した生体情報に基づいて解析された参加者の活性度を特定する。指示部１１４は、態様ＤＢ１２４を参照し、特定部１１３によって特定された活性度が決められた条件を満たすときに参加者を表現する態様を示す態様情報を態様ＤＢ１２４から抽出して、生成部１１５にその態様を指示する。生成部１１５は、映像データを用いて指示された態様で表現される参加者の情報を生成する。送信部１１６は、生成部１１５により生成された参加者の情報を端末２に送信する。【選択図】図６
2019103036.tif 000002
【特許請求の範囲】
【請求項１】
集会に参加する参加者の生体から得られる生体情報に基づいて解析された前記参加者の活性度を特定する特定部と、
前記活性度に応じて前記参加者を表現する態様を指示する指示部と、
前記態様で表現された前記参加者の情報を生成する生成部と、
生成された前記参加者の情報を送信する送信部と、
を有する情報処理装置。
【請求項２】
前記指示部は、前記活性度と該活性度の目標値とに応じて前記態様を指示する
ことを特徴とする請求項１に記載の情報処理装置。
【請求項３】
前記指示部は、前記活性度が前記目標値に達しない場合に、該活性度と該目標値との差に応じて前記集会の進行を補助するための補助情報を決められた送信先に送信する指示をし、
前記送信部は、指示された前記送信先に前記補助情報を送信する
ことを特徴とする請求項２に記載の情報処理装置。
【請求項４】
前記参加者の周囲の環境から得られる環境情報を取得する取得部、を有し、
前記指示部は、前記参加者の前記活性度及び前記環境情報の相関に基づいて前記態様を指示する
ことを特徴とする請求項１から３のいずれか１項に記載の情報処理装置。
【請求項５】
前記指示部は、前記活性度に応じて前記参加者の映像を画面に表現する態様を指示する
ことを特徴とする請求項１から４のいずれか１項に記載の情報処理装置。
【請求項６】
前記指示部は、前記参加者が属する集団ごとに集計された前記活性度に応じて、該集団を表現する態様を指示し、
前記送信部は、前記態様で表現された前記集団の前記情報を送信する
ことを特徴とする請求項１から５のいずれか１項に記載の情報処理装置。
【請求項７】
前記送信部は、直前の送信の後に決められた時間が経過してから次の前記情報を送信する
ことを特徴とする請求項１から６のいずれか１項に記載の情報処理装置。
【請求項８】
前記指示部は、前記参加者のうち前記情報を送信された後に前記活性度が閾値を超えて変化した参加者の情報を送信するよう指示する
ことを特徴とする請求項１から７のいずれか１項に記載の情報処理装置。
【請求項９】
前記参加者について特定された前記活性度と、該活性度が特定されたときの前記参加者の前記環境情報との組の履歴を記憶する記憶部、を有し、
前記特定部は、前記履歴から前記活性度が決められた条件を満たすときの前記参加者に共通する前記環境情報を特定し、
前記指示部は、特定された前記環境情報を送信するよう指示する
ことを特徴とする請求項４に記載の情報処理装置。
【請求項１０】
集会に参加する参加者の生体から生体情報をそれぞれ取得する取得部を有する集計装置と、
生成された前記参加者の情報に基づいて該参加者を表現する端末と、
前記集計装置及び前記端末と通信する情報処理装置と、を有し、
前記集計装置又は前記情報処理装置は、
前記生体情報に基づいて前記参加者の活性度を解析する解析部、を有し、
前記情報処理装置は、
解析された前記活性度に応じて前記参加者を表現する態様を指示する指示部、を有し、
前記情報処理装置又は前記端末は、
前記態様で表現された前記参加者の情報を生成する生成部、を有する
ことを特徴とする情報処理システム。
【請求項１１】
コンピュータを、
集会に参加する参加者の生体から得られる生体情報に基づいて解析された前記参加者の活性度を特定する特定部と、
前記活性度に応じて前記参加者を表現する態様を指示する指示部と、
前記態様で表現された前記参加者の情報を送信する送信部、
として機能させるためのプログラム。
【発明の詳細な説明】
【技術分野】
【０００１】
本発明は、情報処理装置、情報処理システム、及びプログラムに関する。
【背景技術】
【０００２】
遠隔地にいる参加者どうしが通信回線を介して会議等の集会をする通信システムがある。こういった通信システムでは、カメラやマイクロフォン等で捉えられた限られた情報を用いるため、顔を合わせたコミュニケーションをする集会に比べ、遠隔地にいる参加者の様子が把握し難い。そこで、遠隔会議等において、視覚情報、音声情報等のほかに、各参加者の生体から取得した生体情報を利用する技術が開発されている。
【０００３】
特許文献１には、複数のコンピュータの間で文字データを送受信して会議を行う方法であって、各々対応する前記コンピュータを使用する各々の会議の参加者の生体反応を測定し、この生体反応の測定結果に基づいて、前記文字データの字体を変更することを特徴とする遠隔地間での会議方法が開示されている。
特許文献２には、個人生産性と相関がある生体情報を計測する生体計測部と、複数の会議参加者に会議の全体生産性を向上させる刺激を付与する刺激付与部を有する会議システム用プログラムが開示されている。
特許文献３には、複数のコンピュータサイトをネットワークで結合したネットワークシステムにおいて、コンピュータサイトにいる対象物の生体データを取得する生体センサを持ち、コンピュータサイトにいる相手の生体データを加工あるいは統融合することにより、遠隔相手の情況をすぐそばにいるかのように識別可能とする情況推定方法が開示されている。
【先行技術文献】
【特許文献】
【０００４】
【特許文献１】特開２００３−１６０２２号公報
【特許文献２】特開２０１６−９１４９０号公報
【特許文献３】特開２００８−３０６５８６号公報
【発明の概要】
【発明が解決しようとする課題】
【０００５】
遠隔で行われる集会では、参加者たちが同室にいる場合と比較して、遠隔地にいる参加者の会議に対する参加意欲がわかりづらい。
本発明は、遠隔地にいる参加者の会議に対する参加意欲を伝えることを目的とする。
【課題を解決するための手段】
【０００６】
本発明の請求項１に係る情報処理装置は、集会に参加する参加者の生体から得られる生体情報に基づいて解析された前記参加者の活性度を特定する特定部と、前記活性度に応じて前記参加者を表現する態様を指示する指示部と、前記態様で表現された前記参加者の情報を生成する生成部と、生成された前記参加者の情報を送信する送信部と、を有する情報処理装置である。
【０００７】
本発明の請求項２に係る情報処理装置は、請求項１に記載の態様において、前記指示部は、前記活性度と該活性度の目標値とに応じて前記態様を指示することを特徴とする情報処理装置である。
【０００８】
本発明の請求項３に係る情報処理装置は、請求項２に記載の態様において、前記指示部は、前記活性度が前記目標値に達しない場合に、該活性度と該目標値との差に応じて前記集会の進行を補助するための補助情報を決められた送信先に送信する指示をし、前記送信部は、指示された前記送信先に前記補助情報を送信することを特徴とする情報処理装置である。
【０００９】
本発明の請求項４に係る情報処理装置は、請求項１から３のいずれか１項に記載の態様において、前記参加者の周囲の環境から得られる環境情報を取得する取得部、を有し、前記指示部は、前記参加者の前記活性度及び前記環境情報の相関に基づいて前記態様を指示することを特徴とする情報処理装置である。
【００１０】
本発明の請求項５に係る情報処理装置は、請求項１から４のいずれか１項に記載の態様において、前記指示部は、前記活性度に応じて前記参加者の映像を画面に表現する態様を指示することを特徴とする情報処理装置である。
【００１１】
本発明の請求項６に係る情報処理装置は、請求項１から５のいずれか１項に記載の態様において、前記指示部は、前記参加者が属する集団ごとに集計された前記活性度に応じて、該集団を表現する態様を指示し、前記送信部は、前記態様で表現された前記集団の前記情報を送信することを特徴とする情報処理装置である。
【００１２】
本発明の請求項７に係る情報処理装置は、請求項１から６のいずれか１項に記載の態様において、前記送信部は、直前の送信の後に決められた時間が経過してから次の前記情報を送信することを特徴とする情報処理装置である。
【００１３】
本発明の請求項８に係る情報処理装置は、請求項１から７のいずれか１項に記載の態様において、前記指示部は、前記参加者のうち前記情報を送信された後に前記活性度が閾値を超えて変化した参加者の情報を送信するよう指示することを特徴とする情報処理装置である。
【００１４】
本発明の請求項９に係る情報処理装置は、請求項４に記載の態様において、前記参加者について特定された前記活性度と、該活性度が特定されたときの前記参加者の前記環境情報との組の履歴を記憶する記憶部、を有し、前記特定部は、前記履歴から前記活性度が決められた条件を満たすときの前記参加者に共通する前記環境情報を特定し、前記指示部は、特定された前記環境情報を送信するよう指示することを特徴とする情報処理装置である。
【００１５】
本発明の請求項１０に係る情報処理システムは、集会に参加する参加者の生体から生体情報をそれぞれ取得する取得部を有する集計装置と、生成された前記参加者の情報に基づいて該参加者を表現する端末と、前記集計装置及び前記端末と通信する情報処理装置と、を有し、前記集計装置又は前記情報処理装置は、前記生体情報に基づいて前記参加者の活性度を解析する解析部、を有し、前記情報処理装置は、解析された前記活性度に応じて前記参加者を表現する態様を指示する指示部、を有し、前記情報処理装置又は前記端末は、前記態様で表現された前記参加者の情報を生成する生成部、を有することを特徴とする情報処理システムである。
【００１６】
本発明の請求項１１に係るプログラムは、コンピュータを、集会に参加する参加者の生体から得られる生体情報に基づいて解析された前記参加者の活性度を特定する特定部と、前記活性度に応じて前記参加者を表現する態様を指示する指示部と、前記態様で表現された前記参加者の情報を送信する送信部、として機能させるためのプログラムである。
【発明の効果】
【００１７】
請求項１、１０、１１に係る発明によれば、活性度に応じて集会の参加者が表現され、参加者どうしの相互理解が深まる。
請求項２に係る発明によれば、活性度とその活性度の目標値とに応じて集会の参加者が表現される。
請求項３に係る発明によれば、活性度が目標値に達しない場合に、それらの差に応じた補助情報が送信される。
請求項４に係る発明によれば、活性度及び環境情報の相関に基づいた態様で参加者が表現される。
請求項５に係る発明によれば、活性度に応じた態様で参加者の映像が画面に表現される。
請求項６に係る発明によれば、活性度に応じて集会が表現される。
請求項７に係る発明によれば、参加者の情報を送信する頻度が制限される。
請求項８に係る発明によれば、送信された情報に決められた程度を超えて影響を受けた参加者の情報が知らされる。
請求項９に係る発明によれば、活性度が決められた条件を満たすときの参加者に共通する環境が把握される。
【図面の簡単な説明】
【００１８】
【図１】本実施形態に係る情報処理システム９の構成を示す図。
【図２】集計装置４の構成の一例を示す図。
【図３】端末２の構成の一例を示す図。
【図４】サーバ装置１の構成を示す図。
【図５】記憶部１２が記憶するデータベースを示す図。
【図６】サーバ装置１の機能的構成を示す図。
【図７】サーバ装置１の動作の流れを示すフロー図。
【図８】端末２の表示部２４に表示される映像の例を示す図。
【図９】変形例における端末２の表示部２４に表示される映像の例を示す図。
【発明を実施するための形態】
【００１９】
＜実施形態＞
＜情報処理システムの全体構成＞
図１は、本実施形態に係る情報処理システム９の構成を示す図である。情報処理システム９は、サーバ装置１と、端末２と、集計装置４と、これらを通信可能に接続する通信回線３とを有する。また、情報処理システム９は、測定装置５と、観測装置６と、撮像装置７と、収音装置８とを有する。図１に示す情報処理システム９において、測定装置５、観測装置６、撮像装置７、及び収音装置８は、集計装置４に接続される。
【００２０】
情報処理システム９は、サーバ装置１、及び通信回線３のそれぞれを複数有してもよい。またこの実施形態において、通信回線３は複数の会場を繋ぐものであり、端末２、集計装置４、測定装置５、観測装置６、撮像装置７、及び収音装置８は、会場ごとにそれぞれ設けられるが、説明を簡素にするため図１ではいずれも１つを記載する。
【００２１】
サーバ装置１は、複数の会場を繋いで開催される集会において、活性度に応じた態様で参加者を表現した情報を提供する情報処理装置である。
【００２２】
ここで「集会」とは、複数の会場を通信回線で繋ぎ、各会場に来場している参加者どうしに対話やジェスチャー等のコミュニケーションを行わせるものであり、例えば会議、討論会、勉強会、懇親会、多人数参加型のゲーム等である。
【００２３】
端末２は、集会の参加者又は進行役等の情報処理システム９の利用者に、参加者の情報を伝える端末装置である。
通信回線３は、サーバ装置１と端末２及び集計装置４を通信可能に接続する回線であり、例えばインターネット等である。
【００２４】
集計装置４は、例えば各会場にそれぞれ少なくとも１台が設けられており、その会場に来場して集会に参加する参加者Ｕの情報を集計する装置である。集計装置４は、測定装置５、観測装置６、撮像装置７、及び収音装置８と接続し、これらがそれぞれ提供する情報を集計してサーバ装置１に送る。
【００２５】
なお、図１において集計装置４は、それぞれ１台の測定装置５、観測装置６、撮像装置７、及び収音装置８と接続しているが、これらのいずれかについては複数台と接続していてもよい。また、集計装置４は、観測装置６、撮像装置７、及び収音装置８のいずれかと接続しなくてもよい。
【００２６】
測定装置５は、参加者Ｕの心電波形、脈波、心音等、参加者の生体から得られる情報（以下、生体情報という）を測定する装置である。測定装置５は、例えば参加者Ｕの皮膚に接触させる複数の電極を有し、電極間のインピーダンスを計測することによって心電波形を測定する。
【００２７】
生体情報とは、心理状況により変化する情報のことであり、たとえば心電図、音声変動、表情、呼吸数、脈派、脳波、脳血流量変化、眼球停留関連電位、発汗量、末梢皮膚温度変化、自律神経活動、視線変化、瞳孔径、姿勢、血圧変化等がある。
【００２８】
観測装置６は、参加者Ｕの居る会場の温度や湿度、風向きや風量、匂い、振動等、その参加者Ｕの周囲の環境から得られる情報（以下、環境情報という）を観測する装置である。
【００２９】
撮像装置７は、参加者Ｕの表情や姿を撮像して、撮像した映像を示す映像データを生成する装置である。撮像装置７は、撮像素子と、この撮像素子の受光面上に物体の光学像を形成するためのレンズ、反射鏡等の光学系とを備えている。この撮像素子とは、例えばＣＭＯＳ（Complementary Metal Oxide Semiconductor）イメージセンサや、ＣＣＤ（Charge Coupled Device）イメージセンサなどである。撮像装置７は、集計装置４に制御されることによって、撮像範囲や画角、ピント等が調整されてもよい。
【００３０】
収音装置８は、例えばダイナミック型、コンデンサ型等の各種のマイクロフォンであり、参加者Ｕの声やその周囲で生じている音を収集し、それらの音を示す音データを生成する装置である。収音装置８は、集計装置４に制御されることによって、その指向性が調整されてもよい。
【００３１】
＜集計装置の構成＞
図２は、集計装置４の構成の一例を示す図である。集計装置４は、制御部４１、記憶部４２、通信部４３、表示部４４、操作部４５、及び接続部４６を有する。
【００３２】
制御部４１は、ＣＰＵ（Central Processing Unit）、ＲＯＭ（Read Only Memory）、ＲＡＭ（Random Access Memory）を有し、ＣＰＵがＲＯＭ及び記憶部４２に記憶されているコンピュータプログラム（以下、単にプログラムという）を読み出して実行することにより集計装置４の各部を制御する。
【００３３】
通信部４３は、有線又は無線により通信回線３に接続する通信回路である。集計装置４は、通信部４３により通信回線３に接続されたサーバ装置１と情報をやり取りする。
【００３４】
操作部４５は、各種の指示をするための操作ボタン、キーボード、タッチパネル等の操作子を備えており、利用者による操作を受付けてその操作内容に応じた信号を制御部４１に送る。
【００３５】
表示部４４は、液晶ディスプレイ等の表示画面を有しており、制御部４１の制御の下、画像を表示する。表示画面の上には、操作部４５の透明のタッチパネルが重ねて配置されてもよい。
【００３６】
なお、集計装置４は、操作部４５又は表示部４４を有していなくてもよい。
【００３７】
記憶部４２は、ソリッドステートドライブ、ハードディスクドライブ等の大容量の記憶手段であり、制御部４１のＣＰＵに読み込まれる各種のプログラム、データ等を記憶する。
【００３８】
接続部４６は、各種の情報を供給する装置と接続するインタフェースである。図２に示す接続部４６は、測定装置５、観測装置６、撮像装置７、及び収音装置８と接続する。
【００３９】
接続部４６は、測定装置５から参加者Ｕの心電波形等の生体情報を取得し、観測装置６から参加者Ｕの環境情報を取得する。
【００４０】
また接続部４６は、撮像装置７から参加者Ｕの姿を撮像した映像を示す映像データを取得し、収音装置８から参加者Ｕの声及びその周囲で生じている音を示す音データを取得する。接続部４６で取得された各種の情報は、制御部４１に供給され、制御部４１の制御下で参加者Ｕと関連付けられ、通信部４３及び通信回線３を介してサーバ装置１に送信される。
【００４１】
＜端末の構成＞
図３は、端末２の構成の一例を示す図である。端末２は、制御部２１、記憶部２２、通信部２３、表示部２４、操作部２５、及び出力部２６を有する。
【００４２】
制御部２１は、ＣＰＵ、ＲＯＭ、ＲＡＭを有し、ＣＰＵがＲＯＭ及び記憶部２２に記憶されているプログラムを読み出して実行することにより端末２の各部を制御する。
【００４３】
通信部２３は、有線又は無線により通信回線３に接続する通信回路である。端末２は、通信部２３により通信回線３に接続されたサーバ装置１と情報をやり取りする。
【００４４】
操作部２５は、各種の指示をするための操作ボタン、キーボード、タッチパネル等の操作子を備えており、利用者による操作を受付けてその操作内容に応じた信号を制御部２１に送る。なお、端末２は操作部２５を有しなくてもよい。
【００４５】
表示部２４は、液晶ディスプレイ等の表示画面を有しており、制御部２１の制御の下、画像を表示する。表示画面の上には、操作部２５の透明のタッチパネルが重ねて配置されてもよい。
【００４６】
記憶部２２は、ソリッドステートドライブ、ハードディスクドライブ等の大容量の記憶手段であり、制御部２１のＣＰＵに読み込まれる各種のプログラム、データ等を記憶する。
【００４７】
出力部２６は、制御部２１の制御の下、利用者が視覚以外の感覚（聴覚、嗅覚、触覚等）により感知する情報を出力するデバイスである。出力部２６は、例えば、音データに示される音を放出するスピーカや、液体香料を気化させて利用者の周囲の空間に送出する香料送出機、風やその風に伴って霧状の水滴等を送る送風機、利用者の身体に接して振動を伝える振動発生機等である。
【００４８】
＜サーバ装置の構成＞
図４は、サーバ装置１の構成を示す図である。サーバ装置１は、制御部１１、記憶部１２、及び通信部１３を有する。
【００４９】
制御部１１は、ＣＰＵ、ＲＯＭ、ＲＡＭを有し、ＣＰＵがＲＯＭ及び記憶部１２に記憶されているプログラムを読み出して実行することによりサーバ装置１の各部を制御する。
【００５０】
通信部１３は、有線又は無線により通信回線３に接続する通信回路である。サーバ装置１は、通信部１３により通信回線３に接続された端末２及び集計装置４と情報をやり取りする。
【００５１】
記憶部１２は、ハードディスクドライブ等の大容量の記憶手段であり、制御部１１のＣＰＵに読み込まれる各種のプログラムを記憶する。
【００５２】
また、記憶部１２は、参加者ＤＢ１２１、集会ＤＢ１２２、履歴ＤＢ１２３、及び態様ＤＢ１２４を記憶する。
【００５３】
図５は、記憶部１２が記憶するデータベースを示す図である。参加者ＤＢ１２１は、集会に参加する参加者の情報を記憶するデータベースである。図５（ａ）に示す参加者ＤＢ１２１は、参加者を識別する識別情報である参加者ＩＤと、その参加者に固有の情報である固有情報とを対応付けて記憶する。
【００５４】
参加者に対応付けられた固有情報は、例えば、その参加者の活性度を正規化するために用いられる情報や、その参加者を他人に認識させるための情報等である。ここでいう活性度を正規化するとは、その活性度を、参加者について過去に特定された活性度の最大値や最小値等を用いて比率で表すことにより、個人差を相殺する処理である。また、参加者を認識させるための情報とは、その情報が端末２により提示されることでその参加者の存在が認識されるものであり、例えば、その参加者に対応付けられたテーマ曲やテーマカラー、その参加者の氏名、似顔絵、アイコン等である。
【００５５】
集会ＤＢ１２２は、集会に参加する参加者とその集会で参加者の活性度が達成するべき目標値とを記憶するデータベースである。図５（ｂ）に示す集会ＤＢ１２２は、集会リスト１２２１と、会場リスト１２２２と、目標値リスト１２２３とを有する。
【００５６】
集会リスト１２２１は、集会の識別情報である集会ＩＤのリストである。会場リスト１２２２は、集会の参加者を示す参加者ＩＤと、その参加者が実際に身を運んでいる会場の識別情報である会場ＩＤとを集会ＩＤごとに対応付けて記憶する。
【００５７】
目標値リスト１２２３は、集会の進行の各段階と、その各段階で参加者の活性度が到達するべき目標値とを、集会ＩＤごとに記憶する。集会の進行の段階は、議長やアジテータ、登壇者等、その集会の進行役が自身の所持する端末２から操作することによって制御されてもよい。目標値リスト１２２３は、段階に代えて集会の開始時刻からの経過時間や、時刻そのものと対応付けて目標値を定めてもよい。
【００５８】
目標値は１つの値であってもよいが、上限と下限の組で表される範囲を示す数値群であってもよい。目標値は、比較的高いものに限られず、低いものであってもよい。例えば、集会の進行の段階によっては、参加者が高度に集中することが望ましい場合があるが、他の段階においては、参加者が落ち着き、弛緩していることが望ましい場合があるからである。
【００５９】
また、目標値は、参加者ごとに定められていても、会場ごとに定められていてもよい。また、目標値は、集会ごとに（すなわち、１つの集会の参加者全員について）定められていてもよい。集会がその種類によって分類されている場合に、目標値は、集会の種類ごとに定められていてもよい。
【００６０】
会場ごとにその会場に来場している参加者や、集会の参加者全員に対して目標値が定められる場合、その目標値は、それら複数の参加者の活性度の統計値（最大値、最小値、中央値、最頻値、平均値、分散、標準偏差、レンジ、歪度、尖度）や、それらの微分値、積分値等の達成すべき値であってもよい。
【００６１】
履歴ＤＢ１２３は、集会の参加者の活性度がどのように変化したかを記憶するデータベースである。図５（ｃ）に示す履歴ＤＢ１２３は、参加者リスト１２３１と、履歴リスト１２３２とを有する。参加者リスト１２３１は、参加者ＩＤのリストである。
【００６２】
履歴リスト１２３２は、参加者リスト１２３１に記述された参加者ＩＤごとに、その参加者ＩＤで識別される参加者の活性度及び環境情報の経時変化を記憶するリストである。履歴リスト１２３２は、時刻ごとに、その時刻に特定された参加者の活性度を対応付けて記憶する。図５（ｃ）に示す履歴リスト１２３２は、時刻に対応付けて、その時刻に特定された参加者の環境情報も記憶する。すなわち、図５（ｃ）に示す履歴リスト１２３２は、参加者について特定された活性度と、その活性度が特定されたときのその参加者の環境情報との組の履歴を記憶する。
【００６３】
態様ＤＢ１２４は、活性度に応じて参加者を表現する態様を記憶するデータベースである。図５（ｄ）に示す態様ＤＢ１２４には、活性度に関する条件と、その条件を満たしたときに参加者を表現する態様を示す態様情報とが対応付けて記憶されている。
【００６４】
態様ＤＢ１２４に記憶される態様情報とは、例えば、参加者を表示する面積の比率等である。この場合、態様ＤＢ１２４は、例えば、活性度が高いほど、参加者を表示する面積の比率が大きくなるように定めてもよく、また、活性度が低いほど、この比率が大きくなるように定めてもよい。また、態様ＤＢ１２４は、活性度と閾値とを比較して、端末２において表示される参加者を選択してもよい。
【００６５】
また、図５（ｄ）に示す態様ＤＢ１２４には、態様情報に対応付けて、その態様情報で示される態様で表現された参加者の情報を送信する送信先の識別情報（送信先ＩＤ）が記憶されている。送信先ＩＤで識別される送信先は、送信する情報に示される参加者の居る会場に設けられた端末２であってもよいし、それ以外の会場に設けられた端末２であってもよい。また、送信先ＩＤで識別される送信先は、集会の進行役が確認する端末２であってもよい。
【００６６】
また、図５（ｄ）に示す態様ＤＢ１２４には、目標値に達しないときの活性度とその目標値との差を区分した条件に対応付けて、集会の進行を補助するための補助情報が記憶されている。補助情報は、例えば、「活性度の平均値が目標値よりも低いようです。休憩を取りましょう」、「参加者の一人が内容を理解していないようです。次の段階に進まずに留まりましょう」といった案内であり、例えば、決められた送信先である集会の進行役等の端末２に送信される。なお、補助情報がない場合に、図５（ｄ）に示す態様ＤＢ１２４の補助情報の欄には、情報がないことを示すデータ（図５（ｄ）において「−」）が記憶される。
【００６７】
＜サーバ装置の機能的構成＞
図６は、サーバ装置１の機能的構成を示す図である。サーバ装置１の制御部１１は、記憶部１２に記憶されているプログラムを読み出して実行することにより、取得部１１１、解析部１１２、特定部１１３、指示部１１４、生成部１１５、及び送信部１１６として機能する。なお、図６において、通信回線３及び通信部１３を省略する。
【００６８】
取得部１１１は、集計装置４から参加者Ｕを撮像した映像を示す映像データと、参加者Ｕの生体情報とを取得する。ここでこの生体情報は、参加者Ｕに取付けられた測定装置５の電極により測定され集計装置４によってサーバ装置１に送られた心電波形である。また、この映像データが示す映像は、撮像装置７によって撮像され集計装置４によってサーバ装置１に送られた映像である。
【００６９】
なお、取得部１１１は、参加者Ｕの発言内容や周囲で生じている音を収音した音を示す音データを集計装置４から取得してもよい。
【００７０】
また、取得部１１１は、参加者Ｕの周囲の温度、湿度、風向き、風量、匂い、振動等の環境情報を取得してもよい。すなわち、この取得部１１１は、参加者の周囲の環境から得られる環境情報を取得する。
【００７１】
解析部１１２は、取得した生体情報から参加者Ｕの活性度を特定するための解析を行う。解析部１１２は、例えば取得した生体情報である心電波形を周波数解析し、ＶＬＦ（Very Low Frequency）、ＬＦ（Low Frequency）、ＨＦ（Hi Frequency）成分等、心拍変動の周波数成分を求める。
【００７２】
ＬＦとは、低周波を示す語であり、メイヤー波と呼ばれる１０秒程度の周期の血圧変化を信号源とする変動波（血圧変動）、又はその周波数領域のパワースペクトルの合計量（積分値）である。ＬＦの周波数領域は、例えば、０．０５Ｈｚ以上０．１５Ｈｚ未満である。
【００７３】
ＨＦとは、高周波を示す語であり、３秒から４秒程度の周期を持つ呼吸を信号源とする変動波（呼吸変動）、又はその周波数領域のパワースペクトルの合計量（積分値）である。ＨＦの周波数領域は、例えば０．１５Ｈｚ以上０．４０Ｈｚ未満である。
【００７４】
自律神経は、交感神経と副交感神経とに分類される。交感神経が興奮するとノルアドレナリンが放出され、洞房結節にある細胞のβ受容体がノルアドレナリンを受け取ることでその細胞内に一連の化学反応が始まり心拍数が上昇する。
【００７５】
副交感神経が興奮するとアセチルコリンが放出され、洞房結節の細胞のムスカリン受容体がアセチルコリンを受け取ることでその細胞内に化学反応が始まり心拍数が下降する。
【００７６】
交感神経及び副交感神経の化学反応は、いずれにも化学物質の再利用ループの仕組みがあり、反応に利用される材料がリサイクルされて元の状態に戻るようになっている。この元の状態に戻るまでの反応時間が、交感神経と副交感神経とで異なるため、それぞれにおいて伝達された信号への応答速度が異なる。
【００７７】
例えば、ノルアドレナリンとβ受容体とが関係する交感神経の化学反応は６秒程度の周期より短い変化に応答することが難しい。そのため、交感神経では、周期が３秒から４秒程度である呼吸変動を伝えることが難しい。
【００７８】
一方、アセチルコリンとムスカリン受容体とが関係する副交感神経の化学反応は交感神経の化学反応に比べて高速に進むため、周期が１秒程度の変動にも応答することが可能である。したがって、副交感神経は呼吸変動を伝える。
【００７９】
なお、血圧変動は、周期が１０秒程度であるため、副交感神経及び交感神経のいずれでも伝えることが可能である。
【００８０】
交感神経が抑制され、副交感神経が亢進（緊張）しているとき、副交感神経によって血圧変動及び呼吸変動の双方が心拍変動に反映される。反対に、交感神経が亢進し、副交感神経が抑制されているとき、心拍変動には、交感神経により血圧変動が反映されるが、呼吸変動が反映されない。
【００８１】
以上の理由により、呼吸変動を反映するＨＦ成分は、副交感神経が活性化（興奮）している場合にのみ心拍変動に現れる。一方、血圧変動を反映するＬＦ成分は、交感神経及び副交感神経のいずれが活性化している場合にも心拍変動に現れる。そのため、相対的にＨＦ成分が大きいときには、副交感神経が緊張傾向にあることがわかり、相対的にＬＦ成分が大きいときには、交感神経が緊張傾向にあることがわかる。例えばＬＦ成分をＨＦ成分で除算した値（ＬＦ／ＨＦ）は、交感神経の活性度を表しており、ストレスの強さの指標として扱われる。
【００８２】
解析部１１２が行う解析には、高速フーリエ変換、不等間隔のフーリエ級数展開、ウェーブレット変換等が用いられる。また、解析部１１２は、Ｒ−Ｒ間隔が等間隔になるように例えば三次のスプライン補間を用いて心電波形の時系列を変換してもよい。また、取得部１１１が参加者の脈波や心音等、心電波形以外の生体情報を取得する場合、解析部１１２は、その生体情報を解析すればよい。
【００８３】
特定部１１３は、解析部１１２による解析の結果に基づいて、参加者Ｕの活性度を特定する。すなわち、特定部１１３は、集会に参加する参加者の生体から得られる生体情報に基づいて解析されたその参加者の活性度を特定する。
【００８４】
参加者Ｕの活性度とは、参加者Ｕが活性化している程度を表す指標であり、参加者Ｕの集中の度合いや理解の深さ、集会への参加意欲等を表している。活性度は、解析部１１２が行った心電波形の周波数解析から特定部１１３によって求められた値（例えば、上述したＬＦ成分、ＨＦ成分等）の関数として導かれる。活性度の一例として、例えば、ＬＦ成分とＨＦ成分の合計等が挙げられる。活性度は、特定部１１３が参加者ＤＢ１２１を参照することにより参加者ごとに正規化されてもよい。
【００８５】
指示部１１４は、態様ＤＢ１２４を参照し、特定部１１３によって特定された活性度が決められた条件を満たすときに参加者を表現する態様を示す態様情報を、態様ＤＢ１２４から抽出して、生成部１１５にその態様情報で示される態様を指示する。すなわち、指示部１１４は、活性度に応じて参加者を表現する態様を指示する。
【００８６】
例えば、端末２が表示部２４を用いて参加者の映像を表示することで、この参加者を表現する場合、指示部１１４は、活性度に応じて参加者の映像を画面に表現する態様を指示すればよい。
【００８７】
また、活性度と、その活性度の目標値との関係に関する条件が態様ＤＢ１２４に記憶されている場合、指示部１１４は、活性度と目標値とに応じて参加者を表現する態様を指示してもよい。この場合、指示部１１４は、特定部１１３で特定された活性度と、集会ＤＢ１２２に記憶されている活性度の目標値とを用いて、態様ＤＢ１２４から上述した態様を抽出して指示すればよい。
【００８８】
指示部１１４は、活性度が目標値に達しない場合に、この活性度と目標値との差に応じて集会の進行を補助するための補助情報を決められた送信先に送信する指示をしてもよい。
【００８９】
また、取得部１１１が上述した環境情報を取得する場合、指示部１１４は、参加者の活性度及び環境情報の相関に基づいて参加者を表現する態様を指示してもよい。この場合、解析部１１２は、履歴ＤＢ１２３を参照して参加者の活性度と環境情報との相関係数を算出する。指示部１１４は、算出されたその相関係数に応じて指示する態様を決めればよい。環境情報が複数ある場合、解析部１１２は、複数の環境情報と活性度との組について、それぞれ相関係数を算出すればよい。
【００９０】
生成部１１５は、指示部１１４により指示された態様により表現される参加者の情報を生成する。生成部１１５は、例えば、撮像装置７で撮像され集計装置４からサーバ装置１に送られた参加者Ｕの映像を示す映像データを取得部１１１から受取って、指示部１１４に指示された態様で加工してもよい。また、生成部１１５は、特定部１１３が読み出した参加者ＤＢ１２１に記憶されている参加者Ｕの固有情報を、指示部１１４から受取って、指示された態様で加工してもよい。
【００９１】
送信部１１６は、生成部１１５により生成された参加者の情報を端末２に送信する。すなわち、送信部１１６は、指示された態様で表現された参加者の情報を送信する。
【００９２】
また、指示部１１４が上述した補助情報を送信する指示をした場合、送信部１１６は、指示された送信先にその補助情報を送信してもよい。
【００９３】
＜サーバ装置の動作＞
図７は、サーバ装置１の動作の流れを示すフロー図である。
【００９４】
サーバ装置１の制御部１１は、集計装置４から参加者の心電波形（生体情報の一例）を取得したか否か判断し（ステップＳ１０１）、取得していないと判断する間（ステップＳ１０１；ＮＯ）、この判断を続ける。参加者の心電波形を取得したと判断する場合（ステップＳ１０１；ＹＥＳ）、制御部１１は、この心電波形を解析する（ステップＳ１０２）。
【００９５】
制御部１１は、心電波形を解析した解析結果に基づいて参加者の活性度を特定する（ステップＳ１０３）。そして、制御部１１は、参加者を表現する態様として、活性度に応じて端末２で表示されるべき参加者を選択し（ステップＳ１０４）、選択した参加者それぞれに対して、表示に用いる面積を割り当てる指示をする（ステップＳ１０５）。
【００９６】
制御部１１は、各参加者に割り当てられた面積の比率により画面のレイアウトを決定し、参加者それぞれを撮像した映像が上述した面積の比率で表現される映像を生成する（ステップＳ１０６）。そして、制御部１１は、生成した映像を示す映像データを端末２に送信する（ステップＳ１０７）。
【００９７】
サーバ装置１から映像データを受取った端末２は、その映像データが示す映像を表示部２４に表示させる。
【００９８】
図８は、端末２の表示部２４に表示される映像の例を示す図である。図８に示す通り、端末２の表示部２４には、集会の参加者の映像とともに、その参加者の活性度（以下「ＴＰ」ともいう）が表示される。そして、各参加者の映像が表示される面積は、それぞれの活性度に応じた面積になっている。例えば、図８に示す例では、参加者のうちＴＰが最も高い１０００の参加者は、画面中で最も広い面積が割り当てられて表現されている。
【００９９】
この画面を集会の参加者が見ることで、遠隔地にいる参加者であっても、そのうちの誰が集中していて、誰が集中していないか、誰が意欲的に参加しているか等がわかる。また、集会の進行役は「次の段階に進めるべきか」「誰に発言を促すべきか」等、集会の進行に関わる判断をするための材料として、この画面を利用してもよい。なお、端末２の制御部２１は、活性度が同程度である場合に、同じ会場にいる参加者よりも遠隔地にいる参加者を優先して表示部２４に表示させてもよい。
【０１００】
＜変形例＞
以上が実施形態の説明であるが、この実施形態の内容は以下のように変形し得る。また、以下の変形例を組合せてもよい。
【０１０１】
＜変形例１＞
上述した実施形態において、態様ＤＢ１２４は、活性度と、その活性度の目標値との関係に関する条件が含まれていたが、目標値に関する条件を含まなくてもよい。この場合、集会ＤＢ１２２は、目標値リスト１２２３を含まなくてもよい。
【０１０２】
＜変形例２＞
上述した実施形態において、態様ＤＢ１２４には、目標値に達しないとき活性度とその目標値との差を区分した条件に対応付けて、集会の進行を補助するための補助情報が記憶されていたが、補助情報が記憶されなくてもよい。
【０１０３】
＜変形例３＞
上述した実施形態において、集計装置４は観測装置６で観測された参加者の環境情報をサーバ装置１に供給していたが、供給しなくてもよい。この場合、解析部１１２は、参加者の活性度と環境情報との相関係数を算出しなくてもよい。
【０１０４】
＜変形例４＞
上述した実施形態において、態様ＤＢ１２４は、活性度が高いほど、参加者を表示する面積の比率が大きくなるように定めていたが、これに限られない。例えば、態様ＤＢ１２４は、活性度が高いほど、参加者の映像が画面の決められた位置に近い領域に配置されるように定めてもよい。また、態様ＤＢ１２４に記憶される表現の態様は、参加者の活性度に応じて変化するように定められた、背景、輝度、彩度、色であってもよい。
【０１０５】
また上述した実施形態において、端末２は、表示部２４を用いて参加者の映像を表示することで、この参加者を表現していたが、他の方法で表現してもよい。端末２は、出力部２６を用いて、サーバ装置１の送信した情報に基づいて参加者を表現してもよい。
【０１０６】
例えば、出力部２６がスピーカである場合、出力部２６は、参加者の声や周囲の音を出力してもよく、参加者の固有情報として定められているテーマ曲を出力してもよい。この場合、参加者の活性度に応じて音量が決められてもよい。また、この場合、参加者の活性度に応じて、参加者の声と周囲の音との各音量の比率が決められてもよい。また、この場合、参加者の活性度に応じて、上述した音を加工する際のパラメータ（例えば、リバーブやフィルタ等）が決められてもよい。
【０１０７】
図９は、この変形例における端末２の表示部２４に表示される映像の例を示す図である。図９に示す例では、参加者の映像が表示される面積は変わらないが、参加者の活性度が高いほど画面の上又は左に配置されるように態様情報が定められている。これにより、参加者の映像は、活性度の高い順で行ごとに上から下に向かって並び、１つの行内においては、活性度の高い順で、左から右に並ぶこととなる。
【０１０８】
また、図９に示す映像を表示する端末２は、参加者の活性度が高いほど、又はその活性度が低いほど、その音声の音量を大きくするように出力部２６を調節する。この構成によれば、例えば集会で参加者が集中しているほど、その参加者の声が大きく聞こえることとなる。
【０１０９】
なお、参加者を表現する方法は、視覚又は聴覚を刺激するものに限られない。例えば出力部２６が香料送出機である場合には、参加者の固有情報として定められている割合で調合された香料を送出してもよい。
【０１１０】
＜変形例５＞
上述した実施形態において、指示部１１４は、活性度に応じて参加者を表現する態様を指示していたが、参加者が属する集団ごとに集計された活性度に応じて、その集団を表現する態様を指示してもよい。つまり指示部１１４は、例えば、会場ごとにその会場で集会に参加している参加者の活性度を集計し、集計の結果、得られた平均値等の統計値に応じてその会場を表現する態様を指示すればよい。
【０１１１】
この場合、態様ＤＢ１２４には、共通の会場にいる参加者の活性度の統計値についての条件と、その条件を満たしたときにその会場を表現する態様を示す態様情報とが対応付けて記憶されていればよい。そして、この場合、送信部１１６は、指示された態様で表現された会場の情報を送信すればよい。
【０１１２】
この構成によれば、端末２には、例えば活性度が決められた閾値を超えている会場が表示されるため、これを見た参加者は、集中し、又は盛り上がっている会場の様子を感じて刺激を受けることとなる。
【０１１３】
＜変形例６＞
送信部１１６は、直前の送信の後に決められた時間が経過してから次の情報を送信してもよい。例えば、態様ＤＢ１２４に記憶されている条件が、上述した時間に特定された活性度の移動平均に対して閾値を定めたものであれば、指示部１１４は、その期間ごとに指示をすることになるため、送信部１１６は、上述した間隔を空けて情報を送信することとなる。また、送信部１１６は、送信の直後に生成された情報があっても、上述した時間が経過するまで送信を待機してもよい。
【０１１４】
この構成によれば、サーバ装置１において送信の間隔が設定されることで、端末２で参加者の表現が切り替わる間隔が調整される。
【０１１５】
＜変形例７＞
態様ＤＢ１２４には、サーバ装置１が参加者の情報を送信したことに起因して活性度が変化した蓋然性に関する条件が記憶されてもよい。態様ＤＢ１２４は、例えば、サーバ装置１が参加者の情報を送信した後に閾値を超えて活性度が変化した場合に、その参加者の情報を変化の程度に応じた態様で表現するように定めてもよい。この場合、制御部１１によって実現される指示部１１４は、参加者のうち、情報を送信された後に活性度が閾値を超えて変化した参加者の情報を送信するよう指示すればよい。
【０１１６】
この構成によれば、サーバ装置１が端末２に情報を送信し、端末２がその情報に基づいていずれかの参加者を表現したことにより、閾値を超えて影響を受けた参加者が特定される。
【０１１７】
＜変形例８＞
上述した実施形態において、取得部１１１が環境情報を取得する場合、指示部１１４は、解析部１１２により算出された活性度と環境情報との相関係数に応じて指示する態様を決めていたが、活性度と環境情報との履歴から特定される環境情報を送信する指示をしてもよい。
【０１１８】
例えば、解析部１１２が、活性度と環境情報との履歴を用いた解析を行い、特定部１１３が、その解析結果により、活性度が決められた条件を満たすときの参加者に共通する環境情報を特定した場合に、指示部１１４は、その特定されたその環境情報を送信するよう指示してもよい。
【０１１９】
この構成によれば、決められた条件を満たす活性度を示した参加者に共通の環境を示す環境情報がサーバ装置１から送信される。送信されるこの環境情報は、参加者の活性度が上述した条件を満たすようにするために、会場に用意するべき環境を検討するために用いられる。そしてこの構成によれば、例えば、参加者の活性度が決められた条件を満たす会場は、温度が２５℃±２℃であり、湿度が５０％±５％であり、コーヒーが用意されているといった情報が集会の進行役等に把握される。
【０１２０】
＜変形例９＞
上述した実施形態において、制御部１１は、記憶部１２に記憶されているプログラムを読み出して実行することにより、取得部１１１、解析部１１２、特定部１１３、指示部１１４、生成部１１５、及び送信部１１６として機能していたが、これらの機能のうちいずれかは端末２又は集計装置４で行われてもよい。
【０１２１】
例えば、集計装置４の制御部４１は、測定装置５から生体情報を取得する場合、上述した取得部１１１に相当する機能を実現する。
【０１２２】
また、集計装置４の制御部４１は、取得した生体情報に基づいて参加者の活性度を特定するための解析をしてもよい。すなわち、制御部４１は、上述した解析部１１２に相当する機能を実現してもよい。この場合、制御部４１は、解析された結果を示す情報をサーバ装置１に送信し、サーバ装置１の制御部１１は、送信された情報に基づいて参加者の活性度を特定すればよい。
【０１２３】
また、例えば、端末２の制御部２１は、サーバ装置１から参加者を表現する態様を示す態様情報を受取り、この態様情報に示される態様で参加者を表現した情報を生成してもよい。つまり、この制御部２１は、上述した生成部１１５に相当する機能を実現してもよい。
【０１２４】
すなわち、この変形例における情報処理システム９は、集会に参加する参加者の生体から生体情報をそれぞれ取得する取得部を有する集計装置４と、生成された参加者の情報に基づいてその参加者を表現する端末２と、集計装置４及び端末２と通信するサーバ装置１と、を有する。
【０１２５】
そして、この情報処理システム９において、集計装置４又はサーバ装置１は、生体情報に基づいて参加者の活性度を解析する解析部、を有する。
【０１２６】
また、この情報処理システム９において、サーバ装置１は、解析された活性度に応じて参加者を表現する態様を指示する指示部、を有する。
【０１２７】
また、この情報処理システム９において、サーバ装置１又は端末２は、指示された態様で表現された参加者の情報を生成する生成部、を有する。
【０１２８】
なお、この情報処理システム９において、端末２は集計装置４の機能を兼ねてもよい。
【０１２９】
＜変形例１０＞
上述した実施形態において、送信部１１６は、生成部１１５により生成された参加者の情報を端末２に送信していたが、これに加えて、又はこれに代えて、参加者の情報を取得する際の制御信号を集計装置４に送信してもよい。
【０１３０】
例えば、送信部１１６は、参加者の活性度に応じて、その参加者を撮像する光学系の焦点距離を調整する制御信号を集計装置４に送信してもよい。この場合、集計装置４は、送信された制御信号を撮像装置７に送り、撮像装置７はこの制御信号に応じた調整を行う。
【０１３１】
また、送信部１１６は、参加者の活性度に応じて、その参加者の音声を収集する指向性を調整する制御信号を集計装置４に送信してもよい。この場合、集計装置４は、送信された制御信号を収音装置８に送り、収音装置８はこの制御信号に応じた調整を行う。
【０１３２】
＜変形例１１＞
サーバ装置１の制御部１１によって実行されるプログラムは、磁気テープ及び磁気ディスク等の磁気記録媒体、光ディスク等の光記録媒体、光磁気記録媒体、半導体メモリ等の、コンピュータ装置が読取り可能な記録媒体に記憶された状態で提供し得る。また、このプログラムを、インターネット等の通信回線経由でダウンロードさせることも可能である。なお、上述した制御部１１によって例示した制御手段としてはＣＰＵ以外にも種々の装置が適用される場合があり、例えば、専用のプロセッサ等が用いられる。
【符号の説明】
【０１３３】
１…サーバ装置、１１…制御部、１１１…取得部、１１２…解析部、１１３…特定部、１１４…指示部、１１５…生成部、１１６…送信部、１２…記憶部、１２１…参加者ＤＢ、１２２…集会ＤＢ、１２２１…集会リスト、１２２２…会場リスト、１２２３…目標値リスト、１２３…履歴ＤＢ、１２３１…参加者リスト、１２３２…履歴リスト、１２４…態様ＤＢ、１３…通信部、２…端末、２１…制御部、２２…記憶部、２３…通信部、２４…表示部、２５…操作部、２６…出力部、３…通信回線、４…集計装置、４１…制御部、４２…記憶部、４３…通信部、４４…表示部、４５…操作部、４６…接続部、５…測定装置、６…観測装置、７…撮像装置、８…収音装置、９…情報処理システム。
【図１】
2019103036.tif 000003
【図２】
2019103036.tif 000004
【図３】
2019103036.tif 000005
【図４】
2019103036.tif 000006
【図５】
2019103036.tif 000007
【図６】
2019103036.tif 000008
【図７】
2019103036.tif 000009
【図８】
2019103036.tif 000010
【図９】
2019103036.tif 000011